(57)【要約】【課題】撮像者が、撮像装置によって得られる画像と、撮像装置の姿勢とを、容易に認識することができる撮像装置を提供する。【解決手段】表示手段１６が、カメラ手段１０によって得られる画像に、直線状のインジケータを重畳して表示する。前記インジケータは、表示手段１６のフレームに、平行な位置に重畳されて表示され、撮像者がインジケータ操作用入力手段１１を用いることによって、インジケータの配置位置および表示色などが、変更される。また傾きセンサ１２によって、撮像光軸の水平面に対する角度が検出され、検出角度に基づいて、インジケータは水平面に対して、略平行な位置に重畳されて表示される。またインジケータは、表示手段１６のフレームの一側縁辺部に平行なインジケータと、フレームの他側縁辺部に平行なインジケータとが、十字状に組合わせて配置されて表示される。【選択図】　　　図１
2004138737.tif 000002
【特許請求の範囲】
【請求項１】
撮像手段と、
撮像手段によって得られる画像に、直線状の目印部分を有する目印を重畳して表示可能な表示手段と、
目印の表示位置を指令する位置指令手段と、
表示位置指令に基づいて、目印の表示位置を変更するように、表示手段を制御する制御手段とを含むことを特徴とする撮像装置。
【請求項２】
前記目印は、表示手段のフレームの一側縁辺部に平行である目印部分を有することを特徴とする請求項１記載の撮像装置。
【請求項３】
前記目印は、表示手段のフレームの一側縁辺部に平行な第１目印部分と、前記一側縁辺部に垂直な他側縁辺部に平行な第２目印部分とを有し、十字状に組合わせて表示されることを特徴とする請求項１記載の撮像装置。
【請求項４】
撮像手段の水平面に対する角度位置を検出する検出手段をさらに含み、
前記目印は、表示手段のフレームの一側縁辺部に平行である目印部分を有し、制御手段は、前記目印部分が水平面に対して、略平行および略垂直な状態と、これらを除く残余の状態とにおいて、目印の表示形態を変化させるように、表示手段を制御することを特徴とする請求項１記載の撮像装置。
【請求項５】
撮像手段の水平面に対する角度位置を検出する検出手段をさらに含み、
前記目印は、水平面に略平行な水平目印部分を有することを特徴とする請求項１記載の撮像装置。
【請求項６】
撮像手段の水平面に対する角度位置を検出する検出手段をさらに含み、
前記目印は、水平面に略垂直な鉛直目印部分を有することを特徴とする請求項１記載の撮像装置。
【請求項７】
撮像手段の水平面に対する角度位置を検出する検出手段をさらに含み、
前記目印は、水平面に略平行な水平目印部分と、水平面に略垂直な鉛直目印部分とを有し、十字状に組合わせて表示されることを特徴とする請求項１記載の撮像装置。
【請求項８】
前記目印の表示色を指令する色指令手段をさらに含み、
制御手段は、表示色指令に基づいて、目印の表示色を変更するように、表示手段を制御することを特徴とする請求項１〜７のいずれかに記載の撮像装置。
【発明の詳細な説明】
【０００１】
【発明の属する技術分野】
本発明は、撮像装置の表示手段に、撮像の目安となる目印を、表示する撮像装置に関する。
【０００２】
【従来の技術】
従来の技術の撮像装置、たとえばデジタルスチルカメラおよびビデオカメラなど、を用いる場合、撮像者が撮像対象を確認する方法として、撮像者がファインダに接眼して確認する方法と、撮像者が目を離せる表示手段、たとえば液晶モニタなど、を見て確認する方法とがある。
【０００３】
このような撮像装置の姿勢を表示する手段がない撮像装置では、撮像装置の表示手段のフレームなどを基準に、撮像者の感覚によって、撮像装置を所望する姿勢にする必要があった。また、この撮像装置では、パノラマ撮像などで、撮像者が、水平方向および鉛直方向に連続した画像を得たい場合、撮像の対象に水平または鉛直を示す部分がないと、得たい画像を撮像するのが難しかった。このような課題を解決するために、撮像装置の姿勢を表示する撮像装置がある。
【０００４】
図７は、従来の技術の撮像装置に設けられる気泡水準器１を示す正面図である。図７（ａ）は、撮像装置が水平な状態を示し、図７（ｂ）および図７（ｃ）は、撮像装置が傾斜している状態を示す。気泡水準器１は、液体２中の気泡３が、撮像装置の姿勢に応じて変位して、撮像装置の姿勢を表示している（たとえば特許文献１参照）。
【０００５】
図８は、他の従来の技術の撮像装置に設けられる表示手段４を示す正面図である。図８（ａ）は、撮像光軸まわりに関して撮像装置が水平である状態の表示の一例を示し、図８（ｂ）は、撮像光軸まわりに関して撮像装置が傾斜する状態の表示の一例を示し、図８（ｃ）は、撮像光軸まわりに関して撮像装置が水平であり、撮像光軸に垂直な軸線まわりに関して撮像装置が水平である状態の表示の一例を示す。表示手段４は、撮像装置によって得られる画像を表示するとともに、撮像装置の姿勢を表示する回転角度表示部５および方向角度表示部６を有する。回転角度表示部５は、撮像光軸まわりの撮像装置の角度位置を表示し、方向角度表示部６は、撮像光軸に垂直な軸線まわりの撮像装置の角度位置を表示する。回転角度表示部５および方向角度表示部６は、複数の表示点を有しており、撮像装置の姿勢に対応する表示点を点灯させ、点灯している表示点（点灯点５ａ）の位置によって撮像装置の姿勢を表示する。回転角度表示部５による表示について例を挙げると、たとえば図８（ａ）に示すように、撮像装置が撮像光軸まわりに関して水平な状態では、中央の表示点が点灯点５ａとなり、図８（ｂ）に示すように、撮像装置が撮像光軸まわりに傾斜している状態では、中央の表示点から傾斜に応じてずれた位置の表示点が点灯点５ａとなる。また図８（ｃ）に示すように、回転角度表示部５を表示手段の横フレームに沿って配置し、方向角度表示部６を表示手段４の縦フレームに沿って配置しており、これによって撮像装置の姿勢を表示する。このように撮像装置の姿勢に応じて点灯点５ａが変位して、撮像装置の姿勢を表示している（たとえば特許文献２および特許文献３参照）。
【０００６】
図９は、さらに他の従来の技術の撮像装置に設けられる表示手段を示す正面図である。図９（ａ）は、棒グラフ７を表示する表示手段を示し、図９（ｂ）は、飛行機の絵柄８を表示する表示手段を示す。棒グラフ７を表示する表示手段では、撮像装置の姿勢に応じて、指示線７ａを変位させ、撮像装置の姿勢を表示している。飛行機の絵柄８を表示する表示手段では、撮像装置の姿勢に応じて、絵柄８を回転させ、撮像装置の姿勢を表示している（たとえば特許文献４参照）。
【０００７】
【特許文献１】
特開２０００−１１５６０２号公報
【特許文献２】
特開平９−１０２８９３号公報
【特許文献３】
特開平５−１６７８９８号公報
【特許文献４】
特開平１０−１２２８５７号公報
【０００８】
【発明が解決しようとする課題】
特許文献１の撮像装置では、得られる画像を表示する表示手段とは別に、撮像装置の姿勢を表示する気泡水準器１を設けているので、撮像装置の姿勢を、確認するために、表示手段から気泡水準器１の方に視線を逸らす必要があり、不便であった。
【０００９】
また特許文献２〜４の撮像装置では、撮像装置の姿勢を、表示手段の一部に、得られる画像に重畳して表示しているので、姿勢確認のために視線を逸らす必要はないが、得られる画像を確認する妨げとなり、不便であった。また、これらの撮像装置では、撮像装置の姿勢を表示する部分と、その周囲の部分の得られる画像とが、同系色である場合、撮像装置の姿勢を確認することが難しく、不便であった。
【００１０】
さらに特許文献１〜４の撮像装置では、表示手段におけるフレームの一側縁辺部が、水平面と平行である場合を基準にして、撮像装置の姿勢を表示しているので、前記フレームの一側縁辺部を鉛直にして撮像する場合に姿勢の確認ができず、不便であった。
【００１１】
したがって本発明の目的は、前記問題を解決することができる利便性の高い撮像装置を提供することである。
【００１２】
【課題を解決するための手段】
本発明は、撮像手段と、
撮像手段によって得られる画像に、直線状の目印部分を有する目印を重畳して表示可能な表示手段と、
目印の表示位置を指令する位置指令手段と、
表示位置指令に基づいて、目印の表示位置を変更するように、表示手段を制御する制御手段とを含むことを特徴とする撮像装置である。
【００１３】
本発明に従えば、表示手段は、撮像手段によって得られる画像に、直線状の目印部分を有する目印を重畳して、表示することができる。位置指令手段によって、目印の表示位置が指令されると、表示位置指令に基づいて前記目印の表示位置を変更するように、制御手段によって表示手段が制御される。このように目印の位置を変更することができるので、撮像対象が直線状の部分を有する場合、その画像部分に目印を重畳させ、またはその付近に配置させ、その相対角度位置関係によって撮像装置の姿勢を表示することができる。これによって表示手段から視線を逸らさずに、撮像装置の姿勢を把握することができる。またこのように画像部分と目印との相対位置関係によって撮像装置の姿勢を表示するので、表示手段のフレームの一側縁辺部分が、水平および垂直ならびにこれらのいずれの位置に配置されていても、撮像装置の姿勢を表示することができる。さらに目印が画像の確認の邪魔になる場合には、目印を変位させて画像を確認することができる。
【００１４】
また本発明は、前記目印は、表示手段のフレームの一側縁辺部に平行である目印部分を有することを特徴とする。
【００１５】
本発明に従えば、目印は、表示手段のフレームの一側縁辺部に、平行である目印部分を有する。したがって撮像対象が直線状の部分を有す場合、その直線部分に目印を重畳させ、またはその付近に配置し、フレームの一側縁辺部と、撮像対象の直線状部分との相対角度位置を把握して、撮像装置の姿勢を把握することができる。
【００１６】
また本発明は、前記目印は、表示手段のフレームの一側縁辺部に平行な第１目印部分と、前記一側縁辺部に垂直な他側縁辺部に平行な第２目印部分とを有し、十字状に組合わせて表示されることを特徴とする。
【００１７】
本発明に従えば、目印は、表示手段のフレームの一側縁辺部に平行な第１目印部分と、前記一側縁辺部に垂直な他側縁辺部に平行な第２目印部分とを有し、十字状に組合わせて表示される。したがって、フレームと撮像対象との相対角度位置関係を把握しやすくなり撮像装置の姿勢を把握しやすくなる。
【００１８】
また本発明は、撮像手段の水平面に対する角度位置を検出する検出手段をさらに含み、
前記目印は、表示手段のフレームの一側縁辺部に平行である目印部分を有し、制御手段は、前記目印部分が水平面に対して、略平行および略垂直な状態と、これらを除く残余の状態とにおいて、目印の表示形態を変化させるように、表示手段を制御することを特徴とする。
【００１９】
本発明に従えば、検出手段によって、撮像手段の水平面に対する角度位置が検出され、検出された検出角度位置に基づいて、制御手段によっては表示手段が制御される。制御手段は、表示手段のフレームの一側縁辺部に平行である目印部分が水平面に対して、略平行および略垂直な状態と、これらを除く残余の状態とにおいて、目印の表示形態を変化させるように、表示手段を制御する。したがって撮像者は、前記目印の表示形態からフレームの前記一側縁辺部が水平面に対してどのような状態にあるか、したがって撮像装置の姿勢を容易に認識することができる。
【００２０】
また本発明は、撮像手段の水平面に対する角度位置を検出する検出手段をさらに含み、
前記目印は、水平面に略平行な水平目印部分を有することを特徴とする。
【００２１】
本発明に従えば、検出手段によって、撮像手段の水平面に対する角度位置が検出され、検出された検出角度位置に基づいて、水平面に略平行な水平目印部分を有する目印を、撮像手段によって得られる画像に、重畳して表示することができる。したがって撮像者は、撮像対象に水平に延びる部分がない場合にも、前記目印に基づいて、撮像装置の姿勢を容易に認識することができる。
【００２２】
また本発明は、撮像手段の水平面に対する角度位置を検出する検出手段をさらに含み、
前記目印は、水平面に略垂直な鉛直目印部分を有することを特徴とする。
【００２３】
本発明に従えば、検出手段によって、撮像手段の水平面に対する角度位置が検出され、検出された検出角度位置に基づいて、水平面に略鉛直な鉛直目印部分を有する目印を、撮像手段によって得られる画像に、重畳して表示することができる。したがって撮像者は、撮像対象に鉛直に延びる部分がない場合にも、前記目印に基づいて、撮像装置の姿勢を容易に認識することができる。
【００２４】
また本発明は、撮像手段の水平面に対する角度位置を検出する検出手段をさらに含み、
前記目印は、水平面に略平行な水平目印部分と、水平面に略垂直な鉛直目印部分とを有し、十字状に組合わせて表示されることを特徴とする。
【００２５】
本発明に従えば、検出手段によって、撮像手段の水平面に対する角度位置が検出され、検出された検出角度位置に基づいて、水平面に略平行な水平目印部分と、水平面に略鉛直な鉛直目印部分とを、十字状に組合わせた目印を、重畳して表示することができる。したがって撮像者は、撮像対象に水平および鉛直に延びる部分がない場合にも、前記目印に基づいて、撮像装置の姿勢を容易に認識することができる。
【００２６】
また本発明は、前記目印の表示色を指令する色指令手段をさらに含み、
制御手段は、表示色指令に基づいて、目印の表示色を変更するように、表示手段を制御することを特徴とする。
【００２７】
本発明に従えば、目印の表示色を色指令手段によって指令し、変更することができるので、撮像者が指令する色に変更することができる。
【００２８】
【発明の実施の形態】
図１は、本発明の実施の一形態のデジタルスチルカメラ９の電気的構成を示すブロック図である。撮像装置であるデジタルスチルカメラ９は、カメラ手段１０、インジケータ操作用入力手段１１、傾きセンサ１２、撮像データ処理手段１３、インジケータ表示制御手段１４、表示画像処理手段１５および表示手段１６を含んで構成される。
【００２９】
カメラ手段１０は、撮像手段としての機能を有し、撮像の対象である撮像対象を、撮像光軸を中心とする撮像領域で撮像して、撮像した画像に基づく信号を、撮像データ処理手段１３に与える。本実施の形態では、撮像領域は、撮像光軸に垂直な平面に投影したとき、長方形状（略長方形状を含む）となる範囲（以下「撮像範囲」という）に投影される。撮像データ処理手段１３は、カメラ手段１０から与えられた信号を、記録および表示するための信号に変換し、変換した信号を表示画像処理手段１５に与える。
【００３０】
インジケータ操作用入力手段１１は、位置指令手段および色指令手段の機能を含んで構成される。インジケータ操作用入力手段１１は、目印であるインジケータの表示位置、表示色、表示形態などを変更するため、撮像者によって操作される。位置指令手段によって、撮像された画像に重畳されるインジケータの位置の変更を指示され、位置指令手段が位置指令に基づく信号を、インジケータ表示制御手段１４に与える。また色指令手段によって、インジケータの表示色の変更を指示され、色指令手段が色指令に基づく信号をインジケータ表示制御手段１４に与える。
【００３１】
傾きセンサ１２は、検出手段としての機能を有し、撮像手段の水平面に対する角度位置を検出し、検出した角度位置に基づく信号を、インジケータ表示制御手段１４へ与える。撮像手段の水平面に対する角度位置は、撮像光軸の水平面に対する角度位置であって、少なくとも回転角度位置と方向角度位置とを用いて表される。回転角度位置は、撮像手段が有する撮像光軸まわりの角度位置であって、仮想基準軸線と撮像光軸とを含む仮想基準平面が水平面に対して成す角度によって表される。仮想基準軸線は、デジタルスチルカメラ９に、具体的には、カメラ手段１０に予め定められる仮想な軸線であって、たとえば撮像光軸に直角であり、かつ撮像範囲の一辺、本実施の形態では長辺に平行に設定される。方向角度位置は、水平な軸線まわりの角度位置であって、撮像光軸が水平面に対して成す角度によって表される。
【００３２】
傾きセンサ１２は、前記角度位置を検出し、検出した角度位置に基づく信号を、インジケータ表示制御手段１４に与えることができる構成であれば、既知の傾きセンサを用いることができる。たとえば傾きセンサ１２の構成は、互いに異なる直径を有す円筒を備え、前記円筒が同心円状に配置される。外側の円筒の内壁部と、内側の円筒の外壁部との間に、空間があるように前記円筒の直径は選択され、円周方向に移動可能な導電体である移動導電体が、前記空間に設けられる。外側の円筒の内壁に、互いに絶縁されている電極が、円周方向に沿って、複数配置される。前記空間は移動導電体の移動経路であり、外側の円筒の電極および内側の円筒に、移動導電体が接触して移動する。移動導電体は重力によって、重力方向へ移動する構成であるので、移動導電体が接触している電極の電位を、検出することで、接触している電極の位置を検出し、前記電極の位置から、円筒の中心軸まわりの角度を検出する。
【００３３】
インジケータ表示制御手段１４は、制御手段としての機能を有し、インジケータ操作用入力手段１１および傾きセンサ１２から信号が与えられ、与えられた信号に基づいて、インジケータの位置、表示色および傾きを示す信号を、表示画像処理手段１５に与える。
【００３４】
表示画像処理手段１５は、撮像データ処理手段１３から与えられた信号である画像信号に、インジケータ表示制御手段１４から与えられた信号であるインジケータ信号を加え、画像信号とインジケータ信号とに基づく信号を、表示手段１６へ与える。表示手段１６は、画像信号とインジケータ信号とに基づく画像を表示する。表示手段１６は、撮像範囲と相似形状の表示範囲を有し、この表示範囲を規定する長方形状の仮想枠であるフレームを有する。表示手段１６は、撮像範囲と表示範囲との長辺同士が一致し、短辺同士が一致するように整合して表示する。
【００３５】
デジタルスチルカメラ９は、カメラ手段１０を用いて撮像された画像を、表示手段１６を用いて表示し、表示された画像に、インジケータ操作用入力手段１１を用いて、インジケータを重畳して表示する。
【００３６】
図２は、表示手段１６による表示の一例を説明するための図である。図２（ａ）は、撮像の対象となる撮像対象１９を示す図である。図２（ｂ）は、撮像対象１９に対して、表示手段１６のフレーム２１を、横位置で重畳して示す図である。図２（ｃ）は、撮像対象１９に対して表示手段１６のフレーム２１を縦位置で重畳して示す図である。撮像対象１９は、この例では、空および海であって、直線状の部分として、海における空との境界付近を有する。つまり撮像対象１９は、海と空との境界である水平線２０を有する。撮像範囲の長辺が略水平に延びる状態にある場合の撮像位置が横位置である。また撮像範囲の長辺が略鉛直に延びる状態にある場合の撮像位置が縦位置である。フレーム２１の内方にある部分が、カメラ手段１０を用いて撮像され、これにインジケータ３０を重畳した画像１９ａが表示手段１６によって表示される。目印であるインジケータ３０は、目印部分である長手方向インジケータ１７および短手方向インジケータ１８を有する。表示手段１６には、長手方向インジケータ１７および短手方向インジケータ１８の少なくともいずれか一方を選択して、表示することができる。この選択は、撮像者がインジケータ操作用入力手段１１を操作して、実行することができる。
【００３７】
図３は、図２（ｂ）に示す表示画像１９ａを簡略化して示す図である。図２（ｂ）および図３に示す横位置の場合には、フレーム２１の一側縁辺部であって、フレーム２１の長辺部である長手方向フレーム２１ａと、撮像対象１９の水平線２０とが、略平行な表示画像１９ａが表示される。この例では、長手方向フレーム２１ａと平行な目印部分である長手方向インジケータ１７だけが表示される。長手方向インジケータ１７は一対の短手方向フレーム２１ｂ間にわたって実線で直線状に表示される。長手方向インジケータ１７は、撮像者がインジケータ操作用入力手段１１を用いることによって、表示位置を短手方向フレーム２１ｂに平行な方向へ変更することができる。撮像者が得たい画像の構図を決め、表示画像１９ａがその構図どおりになるようにデジタルスチルカメラ９を配置する。撮像者が望む構図は、水平線２０と長手方向フレーム２１ａとが、略平行な構図である場合がある。その場合において、長手方向インジケータ１７が水平線２０から離問した位置１７ｂにある場合に、長手方向インジケータ１７を、水平線２０近傍の位置１７ａに移動するため、移動方向２２へ移動させる。移動後の長手方向インジケータ１７ａと水平線２０とを比較し、一致または平行になるように、撮像者がデジタルスチルカメラ９の姿勢を変更することによって、長手方向フレーム２１ａと水平線２０とが、略平行な画像となる。
【００３８】
図４は、図２（ｃ）に示す表示画像１９ａを簡略化して示す図である。図２（ｃ）および図４に示す縦位置の場合には、フレーム２１の一側縁辺部であって、フレーム２１の短辺部である短手方向フレーム２１ｂと、撮像対象１９の水平線２０とが、略平行な表示画像１９ａが表示される。この例では、短手方向フレーム２１ｂと平行な目印部分である短手方向インジケータ１８だけが表示される。短手方向インジケータ１８は、一対の長手方向フレーム２１ａ間にわたって実線で直線状に表示される。短手方向インジケータ１８は、撮像者がインジケータ操作用入力手段１１を用いることによって、表示位置を長手方向フレーム２１ａに平行な方向へ変更することができる。撮像者が得たい画像の構図を決め、表示画像１９ａがその構図どおりになるようにデジタルスチルカメラ９を配置する。撮像者が望む構図は、水平線２０と短手方向フレーム２１ｂとが、略平行な構図である場合がある。その場合において、短手方向インジケータ１７が、水平線２０から離間した位置１８ｂにある場合に、短手方向インジケータ１８を、水平線２０近傍の位置１８ａに移動するため、移動方向２２へ移動させる。移動後の短手方向インジケータ１８と水平線２０とを比較し、一致または平行になるように、撮像者がデジタルスチルカメラ９の姿勢を変更することによって、短手方向フレーム２１ｂと水平線２０とが、略平行な画像となる。
【００３９】
図５は、長手方向インジケータ１７および短手方向インジケータ１８を、組合わせたインジケータ３０を、表示手段１６に表示した表示画像１９ａを示す図である。図５に示すように横位置の場合であり、短手方向フレーム２１ｂと、撮像対象１９の水平線２０とが、略平行な表示画像１９ａが表示される。この例では、長手方向インジケータ１７および短手方向インジケータ１８を、十字状に組合せて表示される。
【００４０】
このように撮像対象１９が、水平線２０のような直線状の部分を有す場合、その直線部分にインジケータ３０を重畳させ、またはその付近に配置し、フレーム２１の一側縁辺部と、撮像対象１９の直線状部分である水平線２０との相対角度位置を把握して、デジタルスチルカメラ９の姿勢を把握することができる。またデジタルスチルカメラ９の姿勢を変更し、撮像対象１９の直線状の部分と、インジケータ３０の直線状の部分とを重畳することによって、表示手段１６のフレーム２１の一側縁辺部と、撮像対象１９の直線状の部分とが、略平行な画像を得ることができる。
【００４１】
さらにインジケータ表示制御手段１４は、傾きセンサ１２を用い、インジケータ３０が水平面に対して、略平行および略垂直な状態と、これらを除く残余の状態とにおいて、インジケータ３０の表示形態を変化させるように、インジケータ表示制御手段１４は、表示画像処理手段１５にインジケータ信号を与え、表示手段１６を制御することができる。具体的には、インジケータ３０の表示形態を、水平面に対して、略平行および略垂直な状態の場合、たとえば点線２５として表示し、前期状態を除く残余の状態の場合、たとえば実線として表示する。
【００４２】
また、撮像者が、インジケータ操作用入力手段１１を用いることによって、インジケータ３０は、長手方向インジケータ１７と短手方向インジケータ１８とを、十字状に組合わせて、表示手段１６に表示される。
【００４３】
したがって、フレーム２１と撮像対象１９との相対位置関係を把握しやすくなり、デジタルスチルカメラ９の姿勢を把握しやすくなる。したがって撮像対象１９を、長手方向フレーム１０ａが、略水平に延びる状態にある場合を基準にして撮像するか、長手方向フレーム１０ａが、略鉛直に延びる状態にある場合を基準にして撮像するかの、撮像位置の変更ができ、利便性が向上する。
【００４４】
また前述したように、撮像者は、インジケータ３０の表示形態からフレーム２１の前記一側縁辺部が水平面に対してどのような状態にあるか、したがってデジタルスチルカメラ９の姿勢を、容易に認識することができる。これによって、撮像者は視覚によってインジケータ３０が水平面に対して、略平行および略垂直な状態にあるかを判断することなく、いわば自動的に表示画像処理手段１５によって判断されるので、撮像者は容易かつ正確に、前記状態にすることができ、利便性が向上する。また、パノラマ撮像などをする場合、撮像者は、撮像装置の姿勢と、パノラマ画像の繋ぎ目の箇所とを、同時に確認しながら撮像することができ、利便性が向上する。
【００４５】
図６は、本実施の他の形態のデジタルスチルカメラ９において、撮像対象１９に対して、表示手段１６のフレーム２１を重畳して示す図である。本実施の形態は前述の図１〜図５のデジタルスチルカメラ９と類似しており、本実施の形態の構成には、デジタルスチルカメラ９における対応する構成と同一の参照符号を付し、異なる構成についてだけ説明し、同様の構成については説明を省略する。
【００４６】
目印であるインジケータ３０は、目印部分である水平インジケータ２３、鉛直インジケータ２４、長手方向インジケータ１７および短手方向インジケータとを有する。表示手段１６は、水平インジケータ２３および鉛直インジケータ２４の少なくともいずれか一方を選択して、表示することができる。また選択することによって、水平インジケータ２３および鉛直インジケータ２４を、十字状に組合わせて表示することができる。この表示の選択は、撮像者がインジケータ操作用入力手段１１を操作して、実行することができる。
【００４７】
図６に示す場合には、長手方向フレーム２１ａと、撮像対象１９の水平線２０とが、傾いた状態の表示画像１９ａが表示される。本実施の形態の場合は、水平面と略平行な目印部分である水平インジケータ２３、および水平面と略垂直な目印部分である鉛直インジケータ２４が、十字状に組合わされて表示される。また長手方向インジケータ１７および短手方向インジケータ１８が、十字状に組合わされて表示される。水平インジケータ２３は、一対の短手方向フレーム２１ｂ間にわたって表示され、鉛直インジケータ２４は、一対の長手方向フレーム２１ａ間にわたって表示される。水平インジケータ２３、鉛直インジケータ２４、長手方向インジケータ１７および短手方向インジケータ１８は、実線で直線状に表示される。
【００４８】
インジケータ表示制御手段１４は、傾きセンサ１２を用い水平インジケータ２３および鉛直インジケータ２４が、表示されるように表示画像処理手段１５にインジケータ信号を与え、表示手段１６を制御する。
【００４９】
これによって撮像者は、撮像対象１９に水平に延びる部分がない場合にも、水平インジケータ２３に基づいて、デジタルスチルカメラ９の姿勢を容易に認識することができる。したがって、水平インジケータ２３に基づいて画像の構図を決めることができ、利便性が向上する。また撮像対象１９に鉛直に延びる部分がない場合にも、鉛直インジケータ２４に基づいて、デジタルスチルカメラ９の姿勢を容易に認識することができる。したがって、鉛直インジケータ２４に基づいて画像の構図を決めることができ、利便性が向上する。また長手方向インジケータ１７および短手方向インジケータ１８と、水平インジケータ２３および鉛直インジケータ２４との相対角度位置を把握して、デジタルスチルカメラ１９の姿勢を把握することができる。
【００５０】
また水平インジケータ２３と鉛直インジケータ２４とを、十字状に組合わせたインジケータ３０を、表示手段１６は表示することができる。したがって撮像者は、撮像対象１９に水平および鉛直に延びる部分がない場合にも、前記インジケータ３０に基づいて、デジタルスチルカメラ９の姿勢を容易に認識することができる。撮像者は、表示手段１６が前記インジケータ３０を、表示することによって、インジケータ３０に基づいて画像の構図を、決めることができ、利便性が向上する。さらに、前記インジケータ３０を十字状に組合わせて、表示することによって、撮像対象１９をフレーム２１の長手方向フレーム２１ａが、略水平に延びる状態にある場合を基準にして撮像するか、長手方向フレーム２１ａが、略鉛直に延びる状態にある場合を基準にして撮像するかの、撮像位置の変更ができるので、利便性が向上する。
【００５１】
本実施の形態のデジタルスチルカメラ９では、インジケータ３０は対向する一対のフレーム２１間にわたって直線状に表示されるが、インジケータ３０は表示手段１６の一部に表示されればよい。また本実施の形態のデジタルスチルカメラ９では、インジケータ３０の目印部分は最大で４個表示しているが、インジケータ操作用入力手段１１を用いて、複数の目印部分を表示し、それぞれの目印部分について表示位置および表示色を変更することができる。表示色を変更することによって、撮像者は撮像対象と目印とが、同系色である場合、目印の表示色を、撮像対象と異なる色に変更することによって、インジケータ３０を容易に認識することができ、利便性が向上する。
【００５２】
またインジケータ３０はインジケータ操作用入力手段１１によって、表示手段１６に表示しないようにすることができる。本発明は、デジタルスチルカメラに限らず、ビデオカメラなどの撮像装置にも適用することができる。
【００５３】
【発明の効果】
以上のように本発明によれば、表示手段から視線を逸らさずに、撮像装置の姿勢を把握することができる。また目印によって撮像装置の姿勢を表示することができる。したがって、撮像者は目印に基づいて、画像の構図を決めることができ、利便性が向上する。
【００５４】
また本発明によれば、フレームの一側縁辺部と、撮像対象の直線状の部分との、相対角度位置を把握して、撮像装置の姿勢を把握することができる。したがって、撮像者は、撮像装置の姿勢を変更し、撮像対象の直線状の部分と、目印の直線状の部分とを重畳することによって、表示手段のフレームの一側縁辺部と、撮像対象の直線状の部分とが、略平行な画像を得ることができる。
【００５５】
また本発明によれば、フレームの一側縁辺部と、撮像対象の直線状の部分との、相対角度位置を把握しやすくなる。したがって、フレームの形状が長方形である場合、撮像範囲の長辺が略水平に延びる状態にある場合を基準にして撮像するか、撮像範囲の長辺が略鉛直に延びる状態にある場合を基準にして撮像するかの、撮像位置の変更することができ、利便性が向上する。
【００５６】
また本発明によれば、目印の表示形態から、フレームの一側縁辺部が水平面に対してどのような状態にあるかを、容易に認識することができる。これによって、撮像者は視覚によって前記目印が水平面に対して、略平行および略垂直な状態を判断することなく、いわば自動的に制御手段によって判断されるので、撮像者は容易かつ正確に、前記状態にすることができ、利便性が向上する。また、パノラマ撮像などをする場合、撮像者は、撮像装置の姿勢と、パノラマ画像の繋ぎ目の箇所とを、同時に確認しながら撮像することができ、利便性が向上する。
【００５７】
また本発明によれば、撮像者は、撮像対象に水平に延びる部分がない場合にも、水平目印部分を有する目印に基づいて、撮像装置の姿勢を容易に認識することができる。したがって、撮像対象に水平に延びる部分がない場合でも、前記目印に基づいて画像の構図を決めることができ、利便性が向上する。
【００５８】
また本発明によれば、撮像者は、撮像対象に鉛直を延びる部分がない場合にも、鉛直目印部分を有する目印に基づいて、撮像装置の姿勢を容易に認識することができる。したがって、撮像対象に鉛直に延びる部分がない場合でも、前記目印に基づいて画像の構図を決めることができ、利便性が向上する。
【００５９】
また本発明によれば、撮像者は、撮像対象に水平および鉛直に延びる部分がない場合にも、水平目印部分と鉛直目印部分とに基づいて、撮像装置の姿勢を容易に認識することができる。また撮像者は、表示手段が前記目印を、表示することによって、目印に基づいて画像の構図を、決めることができ、利便性が向上する。さらに、前記目印部分を十字状に組合わせて、表示することによって、撮像範囲の長辺が略水平に延びる状態にある場合を基準にして撮像するか、撮像範囲の長辺が略鉛直に延びる状態にある場合を基準にして撮像するかの、撮像位置の変更ができるので、利便性が向上する。
【００６０】
また本発明によれば、目印の表示色を、撮像者が指令する色に変更することができる。したがって、撮像者は撮像対象と目印とが、同系色である場合、目印の表示色を、撮像対象の色と異なる色に変更することによって、目印を容易に認識することができ、利便性が向上する。
【図面の簡単な説明】
【図１】本発明の実施の一形態であるデジタルスチルカメラ９の電気的構成を示すブロック図である。
【図２】本発明の実施の一形態であるデジタルスチルカメラ９の表示手段１６による表示の一例を説明するための図である。
【図３】図２（ｂ）に示す表示画像１９ａを簡略化して示す図である。
【図４】図２（ｃ）に示す表示画像１９ａを簡略化して示す図である。
【図５】長手方向インジケータ１７および短手方向インジケータ１８を、組合わせたインジケータ３０を、表示手段１６に表示した表示画像１９ａを示す図である。
【図６】本発明の他の実施の形態であるデジタルスチルカメラ９において、撮像対象１９に対して表示手段１６のフレーム２１を重畳して示す図である。
【図７】従来の技術の撮像装置に設けられる気泡水準器１を示す正面図である。
【図８】他の従来の技術の撮像装置に設けられる表示手段４を示す正面図である。
【図９】さらに他の従来の技術の撮像装置に設けられる表示手段を示す正面図である
【符号の説明】
９　デジタルスチルカメラ
１０　カメラ手段
１１　インジケータ操作用入力手段
１２　傾きセンサ
１３　撮像データ処理手段
１４　インジケータ表示制御手段
１５　表示画像処理手段
１６　表示手段
１７　長手方向インジケータ
１８　短手方向インジケータ
２１　フレーム
２３　水平インジケータ
２４　鉛直インジケータ
３０　インジケータ
【図１】
2004138737.tif 000003
【図２】
2004138737.tif 000004
【図３】
2004138737.tif 000005
【図４】
2004138737.tif 000006
【図５】
2004138737.tif 000007
【図６】
2004138737.tif 000008
【図７】
2004138737.tif 000009
【図８】
2004138737.tif 000010
【図９】
2004138737.tif 000011